(57)【要約】【課題】浴室暖房装置を浴室天井の上側に作業性良く、かつ体裁良く取付けることが可能な浴室暖房装置の取付け方法を提供する。【解決手段】浴室天井８の天井開口部８０の周縁部付近の下面を覆うための枠状カバー３が取付けられるアダプタ２を、浴室上方構造体９０に取付けるアダプタ取付け工程と、浴室暖房装置本体部１を、天井開口部８０にその下方から差し入れて浴室上方構造体９０またはアダプタ２に取付ける本体部取付け工程と、を有している、浴室暖房装置の取付け方法であって、前記アダプタ取付け工程は、アダプタ２に枠状カバー３が予め組み付けられた組合せセットＳを浴室上方構造体９０に取付ける工程とし、かつこの工程の後に、前記本体部取付け工程を実施する。【選択図】  図１
2019116983.tif 000002
【特許請求の範囲】
【請求項１】
浴室天井に設けられている天井開口部の周縁部付近の下面を覆うための枠状カバーが取付けられるアダプタを、前記天井開口部にその下方から差し入れて浴室上方構造体に取付けるアダプタ取付け工程と、
浴室暖房装置本体部を、前記天井開口部にその下方から差し入れて前記浴室上方構造体または前記アダプタに取付ける本体部取付け工程と、
を有している、浴室暖房装置の取付け方法であって、
前記アダプタ取付け工程は、前記アダプタに前記枠状カバーが予め組み付けられた組合せセットを前記浴室上方構造体に取付ける工程とし、かつこの工程の後に、前記本体部取付け工程を実施することを特徴とする、浴室暖房装置の取付け方法。
【請求項２】
請求項１に記載の浴室暖房装置の取付け方法であって、
前記組合せセットは、前記枠状カバーの上側に前記アダプタが重ねられ、かつこれら両者が、前記アダプタに設けられた孔部にその上側から挿通された締結部材を用いて締結された構成である、浴室暖房装置の取付け方法。
【請求項３】
請求項１または２に記載の浴室暖房装置の取付け方法であって、
前記本体部取付け工程においては、前記浴室暖房装置本体部を前記浴室上方構造体に取付ける、浴室暖房装置の取付け方法。
【発明の詳細な説明】
【技術分野】
【０００１】
本発明は、浴室天井部（浴室天井の上側）に浴室暖房装置を取付けるための方法に関する。
【背景技術】
【０００２】
浴室暖房装置の取付け方法としては、たとえば特許文献１に記載の方法がある。
同文献に記載の方法においては、浴室天井に天井開口部が設けられ、かつこの天井開口部の上側に、建屋の天井壁に固定された吊りボルト（浴室上方構造体）が設けられている。この状態において、まず前記吊りボルトに枠状のアダプタを取付けた後に、このアダプタに浴室暖房装置本体部を取り付ける。また、その後は、前記アダプタに化粧カバーとしての枠状カバーをビス止めする。この枠状カバーにより、浴室暖房装置本体部と天井開口部の内周部との隙間などを覆い隠し、これらの部分がその下方側から不体裁に見えないようにすることができる。枠状カバーの中央開口部には、吸気口およびエア吹き出し口が設けられた下面パネルが装着される。
【０００３】
しかしながら、前記従来技術においては、次に述べるように、改善すべき余地があった。
【０００４】
すなわち、前記従来技術においては、アダプタ、浴室暖房装置本体部、枠状カバー、および下面パネルの全ての取付けを、浴室天井付近の足場が不安定な高所で行なっている。このため、作業性が悪く、浴室暖房装置全体の取付けに長時間を要するとともに、作業者の労力負担が大きいものとなる。また、アダプタに対する枠状カバーのビス止め箇所が浴室内の下方側から不体裁なかたちに見えるといった不具合もある。したがって、このような不具合を適切に解消し、または軽減することが要望される。
【先行技術文献】
【特許文献】
【０００５】
【特許文献１】特許第５３８６２８０号公報
【発明の概要】
【発明が解決しようとする課題】
【０００６】
本発明は、前記したような事情のもとで考え出されたものであり、浴室暖房装置を浴室天井の上側に作業性良く、かつ体裁良く取付けることが可能な浴室暖房装置の取付け方法を提供することを、その課題としている。
【課題を解決するための手段】
【０００７】
上記の課題を解決するため、本発明では、次の技術的手段を講じている。
【０００８】
本発明により提供される浴室暖房装置の取付け方法は、浴室天井に設けられている天井開口部の周縁部付近の下面を覆うための枠状カバーが取付けられるアダプタを、前記天井開口部にその下方から差し入れて浴室上方構造体に取付けるアダプタ取付け工程と、浴室暖房装置本体部を、前記天井開口部にその下方から差し入れて前記浴室上方構造体または前記アダプタに取付ける本体部取付け工程と、を有している、浴室暖房装置の取付け方法であって、前記アダプタ取付け工程は、前記アダプタに前記枠状カバーが予め組み付けられた組合せセットを前記浴室上方構造体に取付ける工程とし、かつこの工程の後に、前記本体部取付け工程を実施することを特徴としている。
【０００９】
このような構成によれば、次のような効果が得られる。
第１に、アダプタを浴室上方構造体に取付ける工程は、このアダプタに枠状カバーが予め組み付けられた組合せセットを取付ける工程とするため、前記従来技術とは異なり、アダプタを取付ける工程とは別に、浴室天井付近の高所において、枠状カバーを、それ単独でアダプタに取付ける作業を行なう必要はなくなる。したがって、その分だけ、浴室暖房装置の取付け作業性を良好なものとし、取付け作業時間の短縮、ならびに作業者の労力負担の軽減を図ることが可能である。
第２に、アダプタに枠状カバーが組み付けられた組合せセットは、アダプタの下面側から枠状カバーをビス止めするような必要はなく、アダプタへの枠状カバーの取付け箇所（ビス止め箇所など）を、その下方側から見えないものとすることが可能である。したがって、前記従来技術とは異なり、アダプタに対する枠状カバーのビス止め箇所などが浴室内下方側から見えないようにし、浴室暖房装置の取付け状態を体裁の良いものとすることも可能である。
【００１０】
本発明において、好ましくは、前記組合せセットは、前記枠状カバーの上側に前記アダプタが重ねられ、かつこれら両者が、前記アダプタに設けられた孔部にその上側から挿通された締結部材を用いて締結された構成である。
【００１１】
このような構成によれば、アダプタと枠状カバーとの組み付けが容易である他、浴室暖房装置の取付け状態において、前記締結部材が浴室内下方側から不体裁に見えないようにすることが可能である。
【００１２】
本発明において、好ましくは、前記本体部取付け工程においては、前記浴室暖房装置本体部を前記浴室上方構造体に取付ける。
【００１３】
このような構成によれば、浴室暖房装置本体部をアダプタに取付ける場合と比較して、アダプタの簡素化、軽量化を図ることが可能であり、部品コストを廉価にすることができる。また、アダプタの軽量化などを図れば、その分だけ、アダプタを浴室上方構造体に取付ける際の作業性も良くすることができる。
【００１４】
本発明のその他の特徴および利点は、添付図面を参照して以下に行なう発明の実施の形態の説明から、より明らかになるであろう。
【図面の簡単な説明】
【００１５】
【図１】本発明に係る方法により取付けられた浴室暖房装置の構成の一例を示す要部概略断面図である。
【図２】図１に示す浴室暖房装置の取付け方法の途中工程を示す要部概略断面図である。
【図３】図２に示すアダプタと枠状カバーとの組合せセットを組み立てる際の状態を示す要部断面図である。
【図４】図３の概略斜視図である。
【図５】図４に示す作業により組み立てられた組合せセットの概略斜視図である。
【図６】吊りボルトに組合せセットを取付けた状態を示す要部概略断面図である。
【図７】吊りボルトに組合せセットおよび浴室暖房装置本体部を取付けた状態を示す要部概略断面図である。
【発明を実施するための形態】
【００１６】
以下、本発明の好ましい実施の形態について、図面を参照して具体的に説明する。
【００１７】
まず、理解の容易のため、図１を参照して、浴室天井部への取付けを完了した状態の浴
室暖房装置Ａの構成を説明する。
図１において、浴室暖房装置Ａは、浴室天井８よりも上方の建屋の天井９に固定された複数の吊りボルト９０に取付けられた浴室暖房装置本体部１、アダプタ２、このアダプタ２に取付けられた枠状カバー３、ならびに浴室暖房装置本体部１の下面側に取付けられた下面パネル４を備えている。浴室天井８には、浴室暖房装置本体部１よりもサイズが大きい天井開口部８０が設けられており、この天井開口部８０から複数の吊りボルト９０に対する浴室暖房装置本体部１やアダプタ２の取付けが図られる。
吊りボルト９０は、本発明でいう「浴室上方構造体」の一例に相当する。
【００１８】
下面パネル４は、浴室暖房装置本体部１用の吸気口４０およびエア吹き出し口４１が形成されている樹脂製パネルであり、浴室暖房装置本体部１の下面部に、たとえばビス止め手段（図示略）、あるいは係合用の凸部や凹部を利用した係合手段を用いて取付けられている。
【００１９】
浴室暖房装置本体部１は、その基本的な構成が、従来既知の浴室暖房装置本体部と同様なものである。詳細な図示説明は省略するが、この浴室暖房装置本体部１は、ファンおよびエア加熱手段を備えており、ファンの駆動により下面パネル４の吸気口４０から浴室の空気を内部に取り込み、かつこの空気をエア加熱手段によって加熱してからエア吹き出し口４１から浴室に向けて吹き出すことが可能である。この浴室暖房装置本体部１は、その外面部に突設されたブラケット片１０の孔部に吊りボルト９０が挿通し、かつ吊りボルト９０に螺合されたナット９１ｃによって落下が阻止された状態で吊りボルト９０に固定されている。
【００２０】
図４および図５において、アダプタ２は、金属製であり、略矩形枠状のプレート部２０、このプレート部２０の中央開口部２１の四隅部分から上方に起立した複数の起立部２２、この起立部２２の上壁部に設けられたボルト挿通用孔２３、およびプレート部２０に設けられたビス止め用の複数の孔部２４を備えている。プレート部２０は、その外周部のサイズが天井開口部８０よりも大きく、かつ中央開口部２１は、浴室暖房装置本体部１を通過させることが可能に浴室暖房装置本体部１よりも大きいサイズである。アダプタ２は、ボルト挿通用孔２３に吊りボルト９０を挿通させ、かつナット９１ａ，９１ｂを締め付けることにより吊りボルト９０に固定されている。
【００２１】
枠状カバー３は、樹脂製であり、中央開口部３３を有する略矩形枠状の枠状カバー本体部３０、その上面部に設けられたビス止め用の複数のボス部３１、および複数の補強用リブ３２を備えている（図４も参照）。複数の補強用リブ３２が設けられていることにより、枠状カバー３の全体の薄型化を図りつつ、枠状カバー３の強度を高め、不当な撓み変形（反り変形）などを防止することが可能である。枠状カバー３は、外周部のサイズがアダプタ２の枠状のプレート部２０よりも大きく、かつその中央開口部３３は、プレート部２０の中央開口部２１と同様に、浴室暖房装置本体部１よりも大きく、浴室暖房装置本体部１を通過させ得るサイズである。この枠状カバー３は、後述するように、アダプタ２にビス止めされている。
【００２２】
次に、前記した浴室暖房装置Ａの取付け方法の一例について説明する。
【００２３】
まず、図２に示すように、アダプタ２に枠状カバー３が取付けられた組合せセットＳを作製する。この作業は、具体的には、図３および図４に示すように、枠状カバー３上に、その上側からアダプタ２のプレート部２０を載置し、かつ複数の孔部２４に挿通させたビス７をボス部３１の孔部にねじ込むことにより行なう。また、この作業は、高所では行なわず、たとえば浴室の内部または外部の床面上または地面上で行なう。したがって、その作業は容易である。また、ビス７の取付け箇所は、組合せセットＳの下面側からは見えな
いようにすることが可能である。
【００２４】
次いで、図５および図６に示すように、前記した組合せセットＳを吊りボルト９０に取付ける。この取付け作業は、アダプタ２の起立部２２を天井開口部８０にその下方側から通過させた後に、既述したように、アダプタ２の起立部２２のボルト挿通用孔２３に吊りボルト９０を挿通させてから、ナット９１ａ，９１ｂを締め付けることにより行なう。その際、枠状カバー３の外周部の上部を浴室天井８の下面に当接させるように設定するが、この設定は、アダプタ２を吊りボルト９０に固定させる際に容易に行なうことが可能である。
【００２５】
その後は、図６および図７に示すように、浴室暖房装置本体部１を吊りボルト９０に取付ける。この作業は、浴室暖房装置本体部１を天井開口部８０の上側にその下方側から通過させ、かつ浴室暖房装置本体部１のブラケット片１０の孔部に吊りボルト９０を挿通させた上で、ナット９１ｃを締め付けることにより行なう。さらに、その後には、下面パネル４を枠状カバー３の中央開口部３３に嵌入させるようにして、浴室暖房装置本体部１の下面部に取付ける。この取付け手段としては、既述したように、ビス止め手段、あるいは係合手段などを採用することができる。
【００２６】
前記した一連の作業工程により、図１に示した浴室暖房装置Ａの取付け構造が得られる。ここで、枠状カバー３は、アダプタ２を吊りボルト９０に取付ける前の段階でアダプタ２に取付けているために、浴室天井８の近辺の高所において、アダプタ２とは別に、枠状カバー３の取付け作業を行なう必要はない。したがって、その分だけ、浴室暖房装置Ａの取付け作業性を良くすることができる。
また、既述したように、アダプタ２に対する枠状カバー３のビス止め箇所は、これらの下方側（浴室内）から見えない状態とすることができる。したがって、外観体裁もよくすることが可能である。
【００２７】
本発明は、上述した実施形態の内容に限定されない。本発明に係る浴室暖房装置の取付け方法の各作業工程の具体的な構成は、本発明の意図する範囲内において種々に変更自在である。
【００２８】
上述の実施形態においては、浴室暖房装置本体部１を吊りボルト９０に取付けているが、これに代えて、たとえばアダプタ２に浴室暖房装置本体部１の取付け用のブラケット部を設けるなどして、浴室暖房装置本体部１をアダプタ２に取り付けた構成とすることもできる。
【００２９】
本発明でいう「浴室上方構造体」は、吊りボルトに限定されない。吊りボルトとは異なる構造体（部材）を利用して浴室暖房装置の取付けを図ってもよい。
本発明でいう「アダプタ」は、枠状カバーが取付けられた状態（組合せセットの状態）で、浴室上方構造体に取付け可能であればよい。略矩形枠状のプレート部を具備しない構成とすることも可能である。
【００３０】
アダプタへの枠状カバーの取付け手段は、ビス止めに限らず、ビス以外の締結部材を用いてもよい。さらには、締結手段とは別の手段を採用することも可能である。枠状カバーは、浴室天井に設けられている天井開口部の周縁部付近の下面を覆うことが可能な枠状であればよく、その具体的な形状、サイズ、材質などは限定されない。
【００３１】
アダプタへの枠状カバーの取付け作業は、必ずしも浴室暖房装置の設置現場で行なわれる必要はない。たとえば、浴室暖房装置をそのメーカが工場出荷を行なう段階で、アダプタに枠状カバーを予め取り付けて組合せセットを構成しておき、この組合せセットを含む
状態で浴室暖房装置を工場出荷してもよい。
【符号の説明】
【００３２】
Ａ  浴室暖房装置
Ｓ  組合せセット
１  浴室暖房装置本体部
２  アダプタ
３  枠状カバー
３３  中央開口部（枠状カバーの）
４  下面パネル
７  ビス（締結部材）
８  浴室天井
８０  天井開口部
９０  吊りボルト（浴室上方構造体）
【図１】
2019116983.tif 000003
【図２】
2019116983.tif 000004
【図３】
2019116983.tif 000005
【図４】
2019116983.tif 000006
【図５】
2019116983.tif 000007
【図６】
2019116983.tif 000008
【図７】
2019116983.tif 000009